(57)【要約】      （修正有）【課題】発泡性緩衝材を所定の位置から容易に分割することができるとともに、分割後の発泡性緩衝材を再結合してコンパクトにまとめることが容易であり、廃棄処理作業を簡単に行なうことができ、さらに、分割前の発泡性緩衝材の緩衝効果を高めることができる梱包箱用緩衝体を提供する。【解決手段】被梱包物１２の周囲を囲み保護するように形成した発泡性緩衝材１１および１３に複数個の割り取り溝１１２および１３１を設ける。また、発泡性緩衝材１１の壁面に複数個の係合穴１１３を形成するとともに、この発泡性緩衝材１１と重合する他の発泡性緩衝材１３の壁面に複数個の突起１３２を形成して、割り取り後に、再結合できるように構成する。【選択図】図１
2005153915.tif 000002
【特許請求の範囲】
【請求項１】
被梱包物の周囲を囲み保護するように形成した発泡性緩衝材からなる梱包箱用緩衝体において、
前記発泡性緩衝材に割り取り溝を設けたことを特徴とする梱包箱用緩衝体。
【請求項２】
前記割り取り溝は、発泡性緩衝材の周囲に形成した溝であることを特徴とする請求項１記載の梱包箱用緩衝体。
【請求項３】
前記割り取り溝は、Ｖ字形状の溝であることを特徴とする請求項１又は２記載の梱包箱用緩衝体。
【請求項４】
発泡性緩衝材の壁面に複数個の突起を形成するとともに、この発泡性緩衝材と重合する他の発泡性緩衝材の壁面に前記突起を嵌合する複数個の係合穴を形成したことを特徴とする請求項１から３のうちいずれか一項記載の梱包箱用緩衝体。
【請求項５】
前記突起が、発泡性緩衝材の分割前には被梱包物へ当接する位置に配置されたことを特徴とする請求項４記載の梱包箱用緩衝体。
【発明の詳細な説明】
【技術分野】
【０００１】
本発明は、電子機器などの各種製品（以下被包装物という）を梱包するときに、発泡性緩衝材で囲まれた空間内に被包装物を収納し、梱包箱と被包装物との間に発泡性緩衝材を介在させて、輸送中などに生じる衝撃を緩和し、保護するために用いる梱包箱用緩衝体に関するものである。
【背景技術】
【０００２】
従来、この種の梱包箱用緩衝体としては、例えば、図５に示すように、被包装物２の形状に合致した形状の収納部３を形成した発泡スチロールなどからなる発泡性緩衝材１を設け、この発泡性緩衝材１で囲まれた空間からなる収納部３へ被包装物２を収納して固定し、個装箱４内へ入れるように構成したものが知られている。
【０００３】
このように構成した梱包箱用緩衝体は、使用後に廃棄する場合、図５に示すような輸送時の状態のまま、あるいは、輸送時のままでは風袋が嵩張るのでいくつかに分割して廃棄処理を行なっていた。
【０００４】
また、発泡性緩衝材の代りに、ダンボール紙を立体的に組み立て、被包装物の両側へ嵌合するように構成し、梱包箱への外部からの衝撃を緩和するように構成しているものもある（例えば、特許文献１参照）。このダンボール紙を用いた緩衝体は、使用後に廃棄する場合、輸送時の状態のまま、あるいは、小さく切断して廃棄処理を行なっていた。
【特許文献１】特開平７−２５１８２７号公報（第２―４頁、第３図）
【発明の開示】
【発明が解決しようとする課題】
【０００５】
上記従来の梱包箱用緩衝体は、使用後の始末が煩雑になる問題点を有していた。即ち、梱包箱用緩衝体を構成する発泡性緩衝材の廃棄処理は、輸送時の状態のままでは図５に示すように、収納部３を形成する空間が無駄となり、風袋が嵩張り余分なスペースを必要とし、廃棄物回収時におけるスペース効率の悪化の問題があった。
【０００６】
また、発泡性緩衝材は、使用後に分割して廃棄することが望ましいが、分割しようとしても容易に分割することができず、特に、大量廃棄の場合などにおいては、ナイフなどの工具を用いない限り希望する位置での分割、あるいは、希望する大きさに分割することが困難であり、廃棄処理における作業性が著しく悪いという問題点があった。
【０００７】
さらに、分割した後の発泡性緩衝材は、まとまりが悪く、かえって風袋が嵩張ることもあり、また、細かく切断した発泡性緩衝材を入れたビニール袋などが破けて散乱する等の状態がしばしば発生する問題点があった。
【０００８】
また、発泡性緩衝材の代りに、ダンボール紙を組み立てて緩衝体とする方法もあるが、発泡性緩衝材を用いた場合に比べて、ダンボール紙の場合は、コスト高となる問題点があった。
【０００９】
本発明は、従来の技術の有するこのような問題点に鑑みてなされたものであり、その目的とするところは、発泡性緩衝材を所定の位置から容易に分割することができるとともに、分割後の発泡性緩衝材を再結合してコンパクトにまとめることが容易であり、廃棄処理作業を簡単に行なうことができ、さらに、分割前の発泡性緩衝材の緩衝効果を高めることができる梱包箱用緩衝体を提供しようとするものである。
【課題を解決するための手段】
【００１０】
上記の目的を達成するために、本発明の梱包箱用緩衝体においては、被梱包物の周囲を囲み保護するように形成した発泡性緩衝材からなる梱包箱用緩衝体において、発泡性緩衝材に割り取り溝を設けたものである。
【００１１】
また、上記割り取り溝は、発泡性緩衝材の周囲に形成することが効果的である。
【００１２】
さらに、上記割り取り溝は、Ｖ字形状の溝とすることが好ましい。
【００１３】
また、発泡性緩衝材の壁面に複数個の突起を形成するとともに、この発泡性緩衝材と重合する他の発泡性緩衝材の壁面に突起を嵌合する複数個の係合穴を形成することが効果的である。
【００１４】
また、上記突起が、発泡性緩衝材の分割前には、被梱包物へ当接する位置に配置されるように構成することが効果的である。
【発明の効果】
【００１５】
本発明の梱包箱用緩衝体は、以下に記載されているような効果を奏する。
【００１６】
梱包箱用緩衝体を構成する発泡性緩衝材の使用後の分割処理は、ナイフなどの工具を用いることなく、割り取り溝の部分から所定の大きさに容易に割り取ることが可能となり、廃棄処理作業がきわめて簡単に行なうことができる。
【００１７】
また、発泡性緩衝材に形成した突起と係合穴とによって、分割後のそれぞれの発泡性緩衝材を再結合することができるから、分割処理した発泡性緩衝材を散乱させることなくコンパクトにまとめることができるとともに、発泡性緩衝材相互間に無駄なスペースが発生せず、廃棄処理回収時の効率化を図ることができる。
【００１８】
さらに、分割後の発泡性緩衝材を結合するために設けた突起が、被包装物への衝撃を緩和する効果をもたらし、緩衝効果を高めることができる。
【発明を実施するための最良の形態】
【００１９】
被梱包物の周囲を囲み保護するように形成した発泡性緩衝材に割り取り溝を設ける。また、発泡性緩衝材の壁面に複数個の突起を形成するとともに、この発泡性緩衝材と重合する他の発泡性緩衝材の壁面に突起を嵌合する複数個の係合穴を形成して梱包箱用緩衝体を構成する。
【実施例１】
【００２０】
図１および図２は、本発明に係る梱包箱用緩衝体の第１の実施例を示すものであって、図１は被包装物を発泡性緩衝材へ収納する状態を示す斜視図、図２は図１に示す発泡性緩衝材を使用後に分割処理し、再結合した状態を示す斜視図である。
【００２１】
図１において、１１は主に被包装物１２の側面からうける衝撃を緩和する発泡スチロールなどからなる発泡性緩衝材で、中央部分に被包装物１２の正面、背面および両側面の凹凸の形状に合致した形状の空間を形成した収納部１１１を設けている。１３は被包装物１２の底面側に配置する発泡性緩衝材で、外部からの衝撃を緩和するための底板として用いる。
【００２２】
被包装物１２の収納部１１１を設けた発泡性緩衝材１１は、底板となる発泡性緩衝材１３の上面へ載置した後、収納部１１１の空間内へ被包装物１２を嵌合して固定し、個装箱（図示しない）内へ収納するように構成している。
【００２３】
収納部１１１を形成した発泡性緩衝材１１には、その各辺の中央部分にそれぞれＶ字形状の割り取り溝１１２を形成している。この割り取り溝１１２の部分は、Ｖ字形状の溝を形成したことによって、強度を他の部分より弱く構成している。したがって、発泡性緩衝材１１の使用後は、割り取り溝１１２の部分から手で容易に割り取ることができ、また、割り取った後の各部分の大きさも、あらかじめ決められた一定の大きさに分割することを可能にしている。
【００２４】
また、底板を構成する発泡性緩衝材１３には、その発泡性緩衝材１３を４つに割り取り分割することができるＶ字形状の割り取り溝１３１を設けている。この割り取り溝１３１を設けたことによって、発泡性緩衝材１３は、割り取り溝１３１の部分から手で容易に割り取ることができ、また割り取った各部分の大きさも、あらかじめ決められた一定の大きさに分割することを可能にしている。
【００２５】
さらに、収納部１１１を設けた発泡性緩衝材１１の底面側には、複数個の係合穴１１３を形成している。一方、底板を構成する発泡性緩衝材１３の上面側には、係合穴１１３と対応する位置に複数個の突起１３２を形成するとともに、下面側にも突起１３２と対応する位置に、複数個の係合穴１３３を形成している。
【００２６】
また、発泡性緩衝材１１の係合穴１１３と発泡性緩衝材１３の突起１３２は、発泡性緩衝材１１を発泡性緩衝材１３の上に重ね合わせた時に、突起１３２が嵌合穴１１３へ嵌合し、両発泡性緩衝材１１および１３の結合をより確実なものとすることができ、重ね合わせた両発泡性緩衝材１１と１３のズレを心配することなく、収納部１１１への被包装物１２の収納作業や個装箱への収納作業を容易に行なうことができる。
【００２７】
また、係合部１１３へ嵌合せずに収納部１１１の下部空間に突出した状態にある突起１３２は、被包装物１２の底面に直接接触して、被包装物１２の底面がうける衝撃を緩和し、緩衝効果を高めることができる。
【００２８】
使用済みとなった発泡性緩衝材１１は、４箇所に設けた割り取り溝１１２からそれぞれ手で割り取り分離する。分離したＬ字形状の４つのパーツは、図２に示すように、それぞれ組み合わせて四辺形のブロックを２組形成する。一方、発泡性緩衝材１３は、割り取り溝１３１から手で割りとって、四分割した板状の各パーツを２枚づつ重ね合わせる。この時、下側に位置する突起１３２は、上側に位置する係合穴１３３へ嵌合し、重ね合わせた２枚のパーツの結合を確実なものとすることができる。
【００２９】
さらに、図２で示すように、この重ね合わせた２枚の発泡性緩衝材１３に対して２組の四角なブロックとした発泡性緩衝材１１を重ね合わせ、突起１３２を係合穴１１３へ嵌合し結合する。このように、割り取った発泡性緩衝材１１と１３は、相互間に隙間を設けることなく組み合わされた２組のパーツにまとめることができる。したがって、使用後の発泡性緩衝材１１および１３をスペースの無駄なく、かつ、まとまりよく廃棄処理することができ、廃棄回収作業の効率化を図ることができる。
【実施例２】
【００３０】
図３は、本発明に係る梱包箱用緩衝体の第２の実施例を示す斜視図である。この図３に示す本発明の第２の実施例は、被包装物の周囲全体を覆うように構成したもので、上述した第１の実施例に、さらに、天板を構成する発泡性緩衝材１４を設けたことを特長とするものである。
【００３１】
天板を構成する発泡性緩衝材１４には、第１の実施例で示した底板を構成する発泡性緩衝材１３と同様にＶ字形状の割り溝１４１を設けて、発泡性緩衝材１４の使用後は、４つに割り取ることができるように構成している。また、発泡性緩衝材１４の上面側には複数個の突起１４２を形成するとともに、下面側には複数個の係合穴１４３を形成している。
【００３２】
この発泡性緩衝材１４の係合穴１４３には、発泡性緩衝材１４が発泡性緩衝材１１の上面を覆った際に、発泡性緩衝材１１の上面側に形成した複数個の突起１１４が嵌合し、両発泡性緩衝材１１と１４の結合状態をより確実なものとしている。
【００３３】
また、発泡性緩衝材１１、１３および１４の使用後は、第１の実施例の図２で示した場合と同様に、割り取った各部分を組み合わせるとともに、重ね合わせることにより、スペースの無駄をなくし、まとまりよく廃棄処理することができ、廃棄回収作業の効率化を図ることができる。
【実施例３】
【００３４】
図４は、本発明に係る梱包箱用緩衝体の第３の実施例を示す斜視図である。
【００３５】
図４に示す本発明の第３の実施例は、被包装物の正面、背面および両側面を覆い、外部からの衝撃を緩和する発泡性緩衝材１５を４つのブロックにあらかじめ分割した状態で設けている。この４つに分割して形成した各ブロックを連結する接合面の対向する位置に、複数個の突起１５１と、その突起１５１を嵌合する複数個の係合穴１５２をそれぞれ形成している。
【００３６】
この４つのブロックの各接合面を合わせて連結することにより、突起１５１が係合穴１５２へ嵌合し、第１の実施例の発泡性緩衝材１１と同様に、中央部分に被包装物を収納する空間を有する発泡性緩衝材１５を構成することができる。また、発泡性緩衝材１５の下面には、複数個の係合穴１５３を形成している。この係合穴１５３には、底板を構成する発泡性緩衝材１３の上面に形成した複数個の突起１３２が嵌合し、４つに分割形成した発泡性緩衝材１５と発泡性緩衝材１３との結合をより確実なものとすることができる。
【００３７】
このように、比較的厚みのある大きな４つのブロックを連結した発泡性緩衝材１５の使用後は、突起１５１の係合穴１５２への嵌合状態を解除するだけで容易に分離することができ、割り取る手間をかけることなく、図２に示す第１の実施例の場合と同様に、スペースに無駄がなく、かつ、まとまりよく廃棄処理を行なうことができ、廃棄回収作業の効率化を図ることができる。
【００３８】
なお、各発泡性緩衝材に形成した割り取り溝、および結合するための突起と係合穴は、第１から第３の実施例で述べた構成に限定されるものではなく、必要に応じて、必要な箇所に設けることが可能であり、同様の効果を得ることができる。
【図面の簡単な説明】
【００３９】
【図１】本発明に係る梱包箱用緩衝体の第１の実施例を示す斜視図である。
【図２】図１の第１の実施例における廃棄処理の状態の一例を示す斜視図である。
【図３】本発明に係る梱包箱用緩衝体の第２の実施例を示す斜視図である。
【図４】本発明に係る梱包箱用緩衝体の第３の実施例を示す斜視図である。
【図５】従来例を示す斜視図である。
【符号の説明】
【００４０】
１      発泡性緩衝材
２      被包装物
３      収納部
４      個装箱
１１    発泡性緩衝材
１１１  収納部
１１２  割り取り溝
１１３  係合穴
１１４  突起
１２    被包装物
１３    発泡性緩衝材
１３１  割り取り溝
１３２  突起
１３３  係合穴
１４    発泡性緩衝材
１４１  割り取り溝
１４２  突起
１４３  係合穴
１５    発泡性緩衝材
１５１  突起
１５２  係合穴
１５３  係合穴
【図１】
2005153915.tif 000003
【図２】
2005153915.tif 000004
【図３】
2005153915.tif 000005
【図４】
2005153915.tif 000006
【図５】
2005153915.tif 000007